【事件の表示】
　平成　６年特許願第２１１２７９号「ビデオ装置」拒絶査定不服審判事件〔平成　８年　３月２２日出願公開、特開平　８−　７９６２６〕について、次のとおり審決する。
【結　論】
　本件審判の請求は、成り立たない。
【理　由】
　
第１.経緯
　
１.手続
　本願は、平成６年９月５日の出願であって、平成１６年１１月８日付けで手続補正がなされたが、平成１７年４月２７日付けで拒絶査定された。
　本件は、本願についてされた上記拒絶査定を不服とする平成１７年６月９日の審判請求であり、平成１７年７月１１日付けで手続補正書が提出されたが、同補正は、平成１９年２月１日付けで決定をもって却下され、その後、当審が平成１９年２月１日付けで通知した最後の拒絶理由に対して平成１９年４月６日付けで手続補正書が提出された。
　
　
２.当審が通知した最後の拒絶理由
　当審が平成１９年２月１日付けで通知した最後の拒絶理由は、概略、以下のとおりである。
　　　　　　　　　　　　　　　理　由
　　　　　　　　　　＜＜＜＜　最　後　＞＞＞＞
　この出願の請求項１及び２に係る発明は、その出願前日本国内において頒布された下記の刊行物に記載された発明に基づいて、その出願前にその発明の属する技術の分野における通常の知識を有するものが容易に発明をすることができたものであるから、特許法第２９条第２項の規定により特許を受けることができない。
　　　　　　　　　　　　　　　　記
　刊行物１：特開平４−１５６７９１号公報（原査定で引用済み)
　刊行物２：特開平１−２９７９８６号公報
　刊行物３：特開平６−７０２０６号公報
　刊行物４：実願昭５８−１５５２４５号(実開昭６０−６４６７３号)のマ
　　　　　　イクロフィルム（原査定で引用済み)
　
　
　
　
　
　
第２.補正の却下の決定
　平成１９年４月６日付けの手続補正（以下「本件補正」という)について、以下のとおり決定する。
　
［結論］
　平成１９年４月６日付けの手続補正を却下する。
　
［理由］
　
１.本件補正
　本件補正は、本件補正前、平成１６年１１月８日付け手続補正書（平成１７年７月１１日付け手続補正は、平成１９年２月１日付けで補正却下されている)により補正された特許請求の範囲についてする補正であり、
　
（補正前)
「【請求項１】　撮像ビデオ信号による画像を表示するビデオ装置であって、
　上記撮像ビデオ信号に操作キー画面データを重畳して画像を表示すると共に、上記操作キー画面データが重畳されない上記撮像ビデオ信号を記録する動作を第一のモードとし、
　上記撮像ビデオ信号にイメージデータを重畳して画像を表示すると共に、上記イメージデータが重畳された上記撮像ビデオ信号を記録する動作を第二のモードとしたとき、
　上記撮像ビデオ信号を記録する記録部と、
　上記撮像ビデオ信号に基づいて画像を表示する表示素子と、
　上記表示素子の表示面上に配設され、当該表示面上の押圧位置を検出する位置検出手段と、
　上記位置検出手段で検出される押圧位置に基づいてイメージデータを形成するイメージデータ形成手段と、
　上記位置検出手段で検出される押圧位置に表示されている操作キーに対応した操作キー画面データを発生する操作信号発生手段と、
　上記モードを設定するスイッチ及び切換えスイッチを有して、上記表示素子で表示される画像の撮像ビデオ信号に、上記操作信号発生手段によって発生された操作キー画面データ又は上記イメージデータ形成手段によって形成されたイメージデータを重畳するスーパーインポーズ手段とを備え、
　上記スーパーインポーズ手段は、
　上記第一のモードが設定された場合は、撮像ビデオ信号に操作キー画面データを重畳して画像を表示すると共に、上記操作キー画面データが重畳されない撮像ビデオ信号を上記記録部に記録し、
　上記第二のモードが設定された場合は、上記撮像ビデオ信号にイメージデータを重畳して画像を表示すると共に、上記イメージデータが重畳された撮像ビデオ信号を上記記録部に記録するように上記切換えスイッチを制御することを特徴とするビデオ装置。
　【請求項２】　上記操作キー画面データは次に必要な操作キーのみを表示するものであることを特徴とする請求項１に記載のビデオ装置。」
　
　の記載を、
　
（補正後)
「【請求項１】　撮像ビデオ信号による画像を表示するビデオ装置であって、
　上記撮像ビデオ信号に操作キー画面データを重畳して画像を表示すると共に、上記操作キー画面データが重畳されない上記撮像ビデオ信号を記録する動作をキー操作モードとし、
　上記撮像ビデオ信号にイメージデータを重畳して画像を表示すると共に、上記イメージデータが重畳された上記撮像ビデオ信号を記録する動作をペン入力モードとしたとき、
　上記撮像ビデオ信号を記録する記録部と、
　上記撮像ビデオ信号に基づいて画像を表示する表示素子と、
　上記表示素子の表示面上に配設され、当該表示面上の押圧位置を検出する位置検出手段と、
　上記位置検出手段で検出される押圧位置に基づいてイメージデータを形成するイメージデータ形成手段と、
　上記位置検出手段で検出される押圧位置に表示されている操作キーに対応した操作キー画面データを発生する操作信号発生手段と、
　上記モードを設定するスイッチ及び切換えスイッチを有して、上記表示素子で表示される画像の撮像ビデオ信号に、上記操作信号発生手段によって発生された操作キー画面データ又は上記イメージデータ形成手段によって形成されたイメージデータを重畳するスーパーインポーズ手段とを備え、
　上記スーパーインポーズ手段は、
　上記キー操作モードが設定された場合は、撮像ビデオ信号に操作キー画面データを重畳して画像を表示すると共に、上記操作キー画面データが重畳されない撮像ビデオ信号を上記記録部に記録し、
　上記ペン入力モードが設定された場合は、ペンオン状態であるか、又は、ペンオフ状態であるかを判定するペンオン／オフ判定モードを実行し、所定回数ともペンオン状態であると判定されたとき、上記撮像ビデオ信号にイメージデータを重畳して画像を表示すると共に、上記イメージデータが重畳された撮像ビデオ信号を上記記録部に記録するように上記切換えスイッチを制御することを特徴とするビデオ装置。」
　と補正することを含むものである。
　
　
　
　
２.本件補正の適合性
　
(１)補正の範囲(平成６年改正前特許法第１７条の２第２項において準用する第１７条第２項)
　本件補正は、願書に最初に添付した明細書の段落【００３１】の記載に基づくものであり、願書に最初に添付した明細書及び図面に記載した事項の範囲内においてする補正である。
　
(２)補正の目的(平成６年改正前特許法第１７条の２第３項第１号〜４号)
　本件補正は、旧請求項１の「第一のモード」、「第二のモード」をそれぞれ「キー操作モード」、「ペン入力モード」に減縮するとともに、旧請求項１の「スーパーインポーズ手段」における「上記撮像ビデオ信号にイメージデータを重畳して画像を表示すると共に、上記イメージデータが重畳された撮像ビデオ信号を上記記録部に記録する」の動作について、「ペンオン状態であるか、又は、ペンオフ状態であるかを判定するペンオン／オフ判定モードを実行し、所定回数ともペンオン状態であると判定されたとき」に実行するものとする減縮を行い、さらに旧請求項２を削除するものである。
　そして、補正の前後において、産業上の利用分野及び解決しようとする課題は同一である。
　本件補正は、請求項の削除及び特許請求の範囲の減縮に該当する。
　
　
　
(３)独立特許要件(第１７条の２第５項)
　本件補正は、特許請求の範囲の減縮を目的とするものであるが、補正後の請求項１に記載された発明(以下「本件補正発明」という)は、以下のとおり、特許出願の際独立して特許を受けることができないものである。
　
ア.刊行物
　
［刊行物１について］
　当審の拒絶の理由に引用された刊行物である特開平４−１５６７９１号公報(以下「刊行物１」という)には、図面と共に以下の事項が記載されている。
　
(ア)「第１３図は本発明の他の実施例のビデオムービーの外観図である。」(第１０ページ左上欄第１２、１３行)
　
(イ)「本ビデオムービーは、入力ペン３００と、フラットディスプレイおよびフラットディスプレイ上に積層配置されている透明な座標入力部を一体化した入力表示一体型装置３０１と、音情報出力部３０２と、レンズ３０３と、マイク３０４と、ビデオテープ入れ３０５と、操作部３０６とから構成されている。」(第１０ページ左上欄第１６行〜同右上欄第２行)
　
(ウ)「メモ書き情報入力部３２４は、座標入力部３１９と、入力座標を一時記憶部３２３への書込み信号に変換する書込み信号変換部３１８とから構成されている。」(第１０ページ左下欄第１５〜１８行)
　
(エ)「一時記憶部３２３は、１画面メモ書き情報記憶部３１６と、１画面画像情報記憶部３１７とから構成されている。１画面メモ書き情報記憶部３１６は、撮像部３１０もしくはデータ保存部３１５からの映像信号、または、メモ書き情報人力部３２４からの書込み信号を入力とし、表示部３２５への表示信号またはデータ保存部３１５への映像信号を出力とする。１画面画像情報記憶部３１７は、撮像部３１０またはデータ保存部３１５からの映像信号を入力とし、表示部３２５への表示信号またはデータ保存部３１５への映像信号を出力とする。」(第１０ページ左下欄第１９行〜同右下欄第１０行)
　
(オ)「表示部３２５は、−時記憶部３２３からの信号を混合する画像メモ書き混合部３２０と、これを表示するフラットディスプレイ３２１とから構成されている。」(第１０ページ右下欄第１１〜１４行)
　
(カ)「第１６図は、録画／再生動作(第１５図のステップ３４０)を行うための操作手順のフローチャートである。
　利用者は、表示部３２５に表示されている画像を録画したいときは、録画スイッチを押す。これにより、制御部３２６は、レンズ３０３および撮像素子部３１１を通った画像情報を、ビデオテープ３１２に記録する。このとき、録画されている画像情報は、表示部３２５にも同時に表示される。」(第１１ページ右上欄第４〜１２行)
　
(キ)「第１７図は、録画しながらメモ書きする動作(第１５図のステップ３４１)を行うための操作手順のフローチャートである。
　利用者は、表示部３２５に表示されている画像を取込みたいときは、録画スイッチを押すと、制御部３２６は、レンズ３０３および撮像素子部３１１を通った画像情報を、ビデオテープ３１２に記録する。ここで、利用者は、メモ書きスイッチを押して、入力ペン３００でメモを書込む。書込まれたメモ書きは、１画面メモ書き情報記憶部３１６に記憶されると同時に、画像情報と共に、ビデオテープ３１２に記録される。」(第１１ページ右上欄第１８行〜同左下欄第９行)
　
(ク)「利用者は、記録されたメモ書きを消去したいときは、メモ書きを消去したい場所にビデオテープ３１２を戻し、メモ書きを消し続けたい所までメモクリアスイッチを押し続けて、消去を終了させる。」(第１１ページ左下欄第１０〜１４行)
　
(ケ)「撮影の途中、メモ書きを終了したいときは、メモ書きスイッチを押し、撮影を続行する。」(第１１ページ左下欄第１４、１５行)
　
(コ)「第１９図は、画像情報、音情報およびメモ書き情報を記録するためのビデオテープの構成を示す図である。
　一般に、ビデオテープは、画像情報を記録するためのトラックの他に、音情報を記録するためのトラックを４つ有している。４つ有しているのは、音声多重方式で記録するためであり、２つずつのトラックを１組としている。
　そこで、本実施例のビデオテープは、第１９図に示すように、音情報を記録するためのトラックのうちの２つのトラックを、メモ書き情報を記録するトラックとして利用している。」(第１１ページ右下欄第１８行〜同第１２ページ左上欄第１行)
　
　
［刊行物２について］
　当審の拒絶の理由に引用された刊行物である特開平１−２９７９８６号公報(以下、刊行物２という。)には、図面と共に以下の事項が記載されている。
　
(サ)「スタートスイッチ１６がオンにされる(ＳＴ１)と、デジタイザ駆動部３７はデジタイザ２を駆動(ＳＴ２)し、デジタイザ入力部３８によりタイトルの設定を行う。このタイトル信号はデジタイザ出力処理回路３９によってＸ−Ｙアドレスを示すコードに変換され、アドレス制御回路４０に供給される。バイナリコードを記憶するメモリ部３２は記録モードにされ(ＳＴ３)、アドレス制御部４０によって指定されたアドレスにのみ“１”のデータをメモリ部３２のメモリエリアに書込む。」(第３ページ右下欄第３〜１３行)
　
(シ)「その後、システムコントローラ３０はアンドゲート３１に“Ｈ”レベルの信号を供給すると共に記録再生部２７に内蔵された単色信号発生器(不図示)が単色信号を記録再生部２７が出力するように制御する。また、メモリ部３２を読出モードに設定する。メモリ部３２はビデオ信号に同期してＸ−Ｙアドレスが画面に対応するように読出しを行う。この際、”１”のデータが”０”レベルの信号として読み出される。従って、この部分に対応するカメラ側からの信号をスイッチ２４てカットし、これに代えて単色信号がスイッチ３４を介して出力されることになり、再生信号処理回路３５からはタイトル等の挿入されたテレビジョン信号が出力される。このとき、再生信号処理回路３５は入力信号をバイパスするように制御されており、表示部３６にはタイトル等の挿入された画面がモニタされる(ＳＴ６)。」(第３ページ右下欄第１８行〜第４ページ左上欄第１４行)
　
(ス)「記録スイッチ(不図示)がオンされる(ＳＴ１４)と、加算器２５からタイトル等の挿入された画面が得られ(ＳＴ１５)、記録再生部２７によってタイトル等の挿入された画面が記録されていき(ＳＴ１６)、表示部３６に表示される(ＳＴ１７)。」(第４ページ右上欄第１２〜１７行)
　
(セ)「第６図は本発明の更に他の実施例を示すものてあり、ディスプレイ１５を液晶パネルとし、このディスプレイ１５の表面に透明にした圧電型文字入力装置１０を装着し、ディスプレイ１５でモニタしながら手１１の指で文字を入力するようにしたものである。」(第４ページ左下欄第６〜１１行)
　
　
［刊行物３について］
　当審の拒絶の理由に引用された刊行物である特開平６−７０２０６号公報(以下、刊行物３という。)には、図面と共に以下の事項が記載されている。
　
(ソ)「ディジタル変換された画像データがスイッチ６を通じて画像メモリ(フレームメモリ)７に書き込まれる。この画像メモリ７に書き込まれた画像データが画像記録装置８に供給されて記録される。」(段落【００１１】)
　
(タ)「また画像メモリ７に書き込まれた画像データが混合器９に供給されてグラフィックメモリ１０、テキストメモリ１１からの信号が混合される。なおグラフィックメモリ１０には後述するタッチパネルでから指定した位置を示す枠等が記憶されている。またテキストメモリ１１には操作の指示や状態等のコメント文が記憶されている。この混合器９からの信号がＤ／Ａ変換回路１２に供給され、アナログ変換された画像データが液晶ディスプレイ(ＬＣＤ)１３に供給される。」(段落【００１２】)
　
(チ)「さらにこの液晶ディスプレイ１３の表示面の前面にタッチパネル１４が設けられる。」(段落【００１４】)
　
(ツ)「また液晶ディスプレイ１３の表示面の近傍に操作釦１５が設けられる。なお操作釦１５には、記録釦１５ａ、リセット釦１５ｂ、部分測光釦１５ｃ、部分フォーカス釦１５ｄ、オートズーム釦１５ｅなどが設けられる。」(段落【００１７】)
　
(テ)「そしてまずオートズーム釦１５ｅが押されると、図４に示すオートズーム指定モードに入る。」(段落【００５５】)
　
(ト)「ズーム可能なときは、図１０のＢのように適当な数のズーム枠をグラフィック表示し、テキスト文で枠の選択を促す。そしてタッチパネル１４が触れられて枠が選択されると、先に計算したその倍率のズームレンズ位置を記憶するとともにオートモードに設定する。」(段落【００５６】)
　
(ナ)「さらに上述の装置において、操作釦１５はそのためのグラフィックを用意してタッチパネル１４の中に設けることもできる。」(段落【００７３】)
　
　
［刊行物４について］
　当審の拒絶の理由に引用された刊行物である実願昭５８−１５５２４５号(実開昭６０−６４６７３号)のマイクロフィルム(以下、刊行物４という。)には、図面と共に以下の事項が記載されている。
　
(ニ)「先づ操作開始前にはあらかじめＣＲＴ１の画面上に各タッチスイッチ３相当位置へＣＰＵ７からのデータに応じた各タッチスイッチ３の機能がテレビカメラ［図示せず］の画像とは別に夫々表示された初期画面が表示される。
　ここで例えばカメラマンが第２図に示すＡｕｔｏ　Ｓｅｔ　Ｕｐ　のタッチスイッチ３に触れる事により選択すると、画面の表示は二次画面に変わる。つまりＣＲＴ１上の各タッチスイッチ３の機能表示は第３図の様に入れ換わる。更にいずれかのタッチスイッチ３を選択して触れると、そのタッチスイッチ３の出力はバッファアンプ４から入力ポート５に入力し、その入力ポート５の入力により、ＣＰＵ７はメモリー９の内容に従って作動し、データバス６を通して出力ポート１２へタッチスイッチ３に相当する機能の出力１３が出力される。」(第５ページ第５行〜第６ページ第２行)
　
(ヌ)「更に制御項目が多い場合には、メモリー９の内容を変更して初期画面で選択された二次画面で更にサブグループ選択をする事により、選択可能な項目数を増やすことが可能である。」(第６ページ第６〜９行)
　
　
　
イ.対比
　本願補正発明と刊行物１に記載の発明(以下「刊行物１発明」という)とを対比する。
　
(ア)「ビデオ装置」について
　上記ア.(ア)、(カ)で指摘した箇所の記載によれば、他の実施例における「ビデオムービー」は、本願補正発明の「撮像ビデオ信号による画像を表示するビデオ装置」に相当する。
　
　
(イ)「キー操作モード」について
　刊行物１には、本願補正発明でいう「上記撮像ビデオ信号に操作キー画面データを重畳して画像を表示すると共に、上記操作キー画面データが重畳されない上記撮像ビデオ信号を記録する」「キー操作モード」について何ら記載がない。相違が認められる。
　
　
(ウ)「ペン入力モード」について
　上記ア.(イ)〜(キ)、(ケ)で指摘した箇所の記載によれば、撮像素子部３１１を通った画像情報が表示されているときに録画スイッチを押すと、撮像素子部３１１を通った画像情報の記録が開始される。そして、この状態でメモ書きスイッチを押すと、入力ペン３００によるメモの書込みが開始され、書込まれたメモ書きは、画像メモ書き混合部３２０で撮像素子部３１１からの画像情報と混合されて表示されると同時に、画像情報と共に記録され、この状態でメモ書きスイッチを押すと、メモの書込みが終了される。
　メモ書きは、メモ書きスイッチを押すことで開始され、メモ書きスイッチを再度押すことで終了される。
　この「開始」から「終了」までの入力ペン３００によるメモ書き可能な録画動作状態は、「上記撮像ビデオ信号にイメージデータを重畳して画像を表示すると共に、上記イメージデータと共に上記撮像ビデオ信号を記録する動作」をしており、この動作状態は「ペン入力モード」と言い得る。
　もっとも、上記ア.(ク)で指摘した箇所にあるように、記録されたメモ書きが消去可能であることや、上記ア.(コ)で指摘した箇所にあるように、ビデオテープが画像情報を記録するためのトラックとメモ書き情報を記録するためのトラックとをそれぞれ有することから明らかなように、刊行物１発明の「ペン入力モード」は、イメージデータと撮像ビデオ信号とを重畳することなくそれぞれ別領域に記録する動作である。相違が認められる。
　
　
(エ)「記録部」について
　上記ア.(カ)で指摘した箇所の記載によれば、撮像素子部３１１を通った画像情報は、ビデオテープ３１２に記録されるから、「ビデオテープ３１２」は、本願補正発明でいう「上記撮像ビデオ信号を記録する記録部」に相当する。
　
　
(オ)「表示素子」について
　上記ア.(オ)、(カ)で指摘した箇所の記載によれば、画像情報は、表示部３２５のフラットディスプレイ３２１にも同時に表示されるから、「フラットディスプレイ３２１」は、本願補正発明でいう「上記撮像ビデオ信号に基づいて画像を表示する表示素子」に相当する。
　
　
(カ)「位置検出手段」について
　上記ア.(イ)、(ウ)で指摘した箇所の記載によれば、「座標入力部３１９」は、フラットディスプレイ上に積層配置されている透明な座標入力部であるから、本願補正発明でいう「上記表示素子の表示面上に配設され、当該表示面上の押圧位置を検出する位置検出手段」に相当する。
　
　
(キ)「イメージデータ形成手段」について
　上記ア.(ウ)で指摘した箇所の記載によれば、座標入力部３１９からの入力座標は、書込み信号変換部３１８で一時記憶部３２３への書込み信号に変換されるから、「書込み信号変換部３１８」は、本願補正発明でいう「上記位置検出手段で検出される押圧位置に基づいてイメージデータを形成するイメージデータ形成手段」に相当する。
　
　
(ク)「操作信号発生手段」について
　刊行物１には、操作キー画面データに係る構成が何ら記載されていない。相違が認められる。
  
　
(ケ)「スーパーインポーズ手段」について
　本願補正発明の「スーパーインポーズ手段」に対応するものとして、上記イ.(ウ)で「ペン入力モード」と言い得るものとした「上記撮像ビデオ信号にイメージデータを重畳して画像を表示すると共に、上記イメージデータと共に上記撮像ビデオ信号を記録する動作」を実現させるための手段として、「上記撮像ビデオ信号にイメージデータを重畳して画像を表示する」手段及び「上記イメージデータと共に上記撮像ビデオ信号を記録する」手段の存在が認められるところ、
　後者の手段は重畳動作をしてないものの、少なくとも前者の手段の「重畳」は「スーパーインポーズ手段」を意味するものであるから、これら前者の手段と後者の手段を合わせたものを、ひとまず本願補正発明でいうのと同じ用語である「スーパーインポーズ手段」と称し、本願補正発明の「スーパーインポーズ手段」に対応させることとができる。
　もっとも、刊行物１発明の「スーパーインポーズ手段」(上記の前者の手段と後者の手段とを合わせた手段)は、本願補正発明の「スーパーインポーズ手段」に対し以下の点で相違している。
・「ペン入力モードが設定された場合」に、イメージデータと撮像ビデオ信号とを重畳することなくそれぞれ記録部の別領域に記録する点。
・「キー操作モード」を有していない点。
・「上記モードを設定するスイッチ」を備えていない点。
・「画像メモ書き混合部３２０」の具体的構成が不明であり、「ペン入力モードが設定された場合」に行う「重畳」が、「切換えスイッチ」の制御によるものなのか否か不明であるし、本願補正発明のような、「キー操作モード」又は「ペン入力モード」が設定された場合における「重畳する」「重畳しない」の制御を「切換えスイッチ」を制御することにより行う構成がない点。
・「ペン入力モードが設定された場合」に、「上記撮像ビデオ信号にイメージデータを重畳して画像を表示すると共に、上記イメージデータとなるドットデータと共に撮像ビデオ信号を上記記録部に記録する」の動作が、「ペンオン状態であるか、又は、ペンオフ状態であるかを判定するペンオン／オフ判定モードを実行し、所定回数ともペンオン状態であると判定されたとき」に実行されるのか否か不明である点。
　
　
(コ)一致点、相違点
　以上から、本願補正発明と刊行物１発明とは、
　
［一致点］
「撮像ビデオ信号による画像を表示するビデオ装置であって、
　上記撮像ビデオ信号にイメージデータを重畳して画像を表示すると共に、上記イメージデータと共に上記撮像ビデオ信号を記録する動作をペン入力モードとしたとき、
　上記撮像ビデオ信号を記録する記録部と、
　上記撮像ビデオ信号に基づいて画像を表示する表示素子と、
　上記表示素子の表示面上に配設され、当該表示面上の押圧位置を検出する位置検出手段と、
　上記位置検出手段で検出される押圧位置に基づいてイメージデータを形成するイメージデータ形成手段と、
　上記表示素子で表示される画像の撮像ビデオ信号に、上記イメージデータ形成手段によって形成されたイメージデータを重畳するスーパーインポーズ手段とを備え、
　上記スーパーインポーズ手段は、
　上記ペン入力モードが設定された場合は、上記撮像ビデオ信号にイメージデータを重畳して画像を表示すると共に、上記イメージデータと共に撮像ビデオ信号を上記記録部に記録するように制御することを特徴とするビデオ装置。」
　である点で一致し、次の各点で相違する。
　
［相違点１］
　「スーパーインポーズ手段」における「上記ペン入力モードが設定された場合」の「上記イメージデータと共に撮像ビデオ信号を上記記録部に記録する」が、
　本願補正発明では、「上記イメージデータが重畳された撮像ビデオ信号を上記記録部に記録する」のに対し、
　刊行物１発明では、上記イメージデータと撮像ビデオ信号とを重畳することなくそれぞれ上記記録部の別領域に記録する点。
　
［相違点２］
　本願補正発明は、
　「上記位置検出手段で検出される押圧位置に表示されている操作キーに対応した操作キー画面データを発生する操作信号発生手段」を備え、
　上記「ペン入力モード」とは別の動作モードである「上記撮像ビデオ信号に操作キー画面データを重畳して画像を表示すると共に、上記操作キー画面データが重畳されない上記撮像ビデオ信号を記録する動作」を「キー操作モード」とし、
　「スーパーインポーズ手段」が、「キー操作モードが設定された場合は、撮像ビデオ信号に操作キー画面データを重畳して画像を表示すると共に、上記操作キー画面データが重畳されない撮像ビデオ信号を上記記録部に記録」するとともに、
　「前記モードを設定するスイッチ」を備えているのに対し、
　刊行物１発明は、
　上記「操作信号発生手段」を備えておらず、
　「スーパーインポーズ手段」が、上記「キー操作モード」を有さないとともに、
　上記「前記モードを設定するスイッチ」を備えていない点。
　
［相違点３］
　本願補正発明では、
　「スーパーインポーズ手段」が「切換えスイッチ」を有し、
　「切換えスイッチ」により重畳を行うとともに、
　「キー操作モード」又は「ペン入力モード」が設定された場合の「重畳する」「重畳しない」の制御を「切換えスイッチ」を制御することにより行うのに対し、
　刊行物１には、重畳についての具体的記載がない点。
　
［相違点４］
　「スーパーインポーズ手段」において「上記ペン入力モードが設定された場合」に、「上記撮像ビデオ信号にイメージデータを重畳して画像を表示すると共に、上記イメージデータとなるドットデータと共に撮像ビデオ信号を上記記録部に記録する」の動作が、
　本願補正発明では、「ペンオン状態であるか、又は、ペンオフ状態であるかを判定するペンオン／オフ判定モードを実行し、所定回数ともペンオン状態であると判定されたとき」に実行されるのに対し、
　刊行物１には、如何なる条件で実行されるのかについて何ら記載がない点。
　
　
　
ウ.判断
　上記各相違点について検討する。
　
(ア)［相違点１］について
　一般に、ビデオカメラにおいて、手書き入力するイメージデータと共に撮像ビデオ信号を表示しかつ記録する場合、該イメージデータが重畳された撮像ビデオ信号を表示しかつ記録することは周知であるから(刊行物２の上記ア.(サ)〜(セ)で指摘した箇所の記載参照)、刊行物１発明においても、「記録部」の前段にイメージデータと撮像ビデオ信号とを重畳する手段を設け、「スーパーインポーズ手段」における「上記ペン入力モードが設定された場合」の「上記イメージデータと共に撮像ビデオ信号を上記記録部に記録する」を、「上記イメージデータが重畳された撮像ビデオ信号を上記記録部に記録する」よう構成することは当業者が容易に想到し得たことである。
　
　
(イ)［相違点２］について
　
［刊行物３発明］
　上記ア.(チ)〜(ト)で指摘した箇所の記載によれば、オートズーム釦１５ｅを押すと、図１０のＢのように適当な数のズーム枠がグラフィック表示され、タッチパネル１４が触れられて枠が選択されると、その倍率のズームレンズ位置が設定されるから、グラフィック表示される適当な数のズーム枠は、押された操作釦に対応した操作キー画面データであるといえる。
　上記ア.(ツ)、(ナ)で指摘した箇所には、操作釦１５のためのグラフィックを用意してタッチパネル１４の中に設けることもできるとあるから、オートズーム釦のための操作キー画面データを発生する構成が記載されているといえる。
　上記ア.(ソ)、(タ)で指摘した箇所の記載及び第１図によれば、撮像された画像データは、グラフィックメモリ１０からの信号が混合器９で混合されて液晶ディスプレイ(ＬＣＤ)１３に表示されると共に、グラフィックメモリ１０からの信号が混合されることなく画像記録装置８に記録される。
　以上からすれば、刊行物３には、カメラにおいて、「位置検出手段で検出される押圧位置に表示されている操作キーに対応した操作キー画面データを発生する操作信号発生手段」を設け、「撮像ビデオ信号に操作キー画面データを重畳して画像を表示すると共に、上記操作キー画面データが重畳されない撮像ビデオ信号を上記記録部に記録」するよう構成する発明(以下「刊行物３発明」という)が記載されている。
　
［容易性判断］
　刊行物１発明と刊行物３発明とは共に、モニタ画面上にタッチパネルを備えたカメラにおいて、撮像画像をモニタしながらタッチパネルを操作するものとして一致するから、刊行物１発明に、タッチパネルを用いた操作の指示を行えるようにすべく刊行物３発明を付加し、「上記位置検出手段で検出される押圧位置に表示されている操作キーに対応した操作キー画面データを発生する操作信号発生手段」を設け、「撮像ビデオ信号に操作キー画面データを重畳して画像を表示すると共に、上記操作キー画面データが重畳されない撮像ビデオ信号を上記記録部に記録」するよう構成することは、何ら格別とはいえず、当業者が容易に想到し得ることといえる。
　そして、そのような機能を付加する場合、刊行物１発明の「スーパーインポーズ手段」にその機能を担わせることは普通の設計事項である。
　また、この機能(撮像ビデオ信号に操作キー画面データを重畳して画像を表示すると共に、上記操作キー画面データが重畳されない撮像ビデオ信号を上記記録部に記録する機能)は、刊行物１発明のペン入力モードの機能(上記撮像ビデオ信号にイメージデータを重畳して画像を表示すると共に、上記イメージデータが重畳された撮像ビデオ信号を上記記録部に記録する機能)とは重畳記録するか否かの点で異なる機能であって、独立した機能であるところ、一般に、互いに独立した異なる複数種類の機能を単一の装置上に搭載する際、各機能を、モードを設定するスイッチにより選択的に実行させる構成とすることは分野を問わず常套であるから、刊行物１発明においても、「撮像ビデオ信号に操作キー画面データを重畳して画像を表示すると共に、上記操作キー画面データが重畳されない撮像ビデオ信号を上記記録部に記録」する動作を「キー操作モード」とし、「スーパーインポーズ手段」に「モードを設定するスイッチ」を設け、該スイッチにより、タッチパネルを用いた操作の指示と、タッチパネルを用いたメモの書込みとがそれぞれキー操作モード、ペン入力モードとして選択的に行えるよう構成することも当業者が容易に想到し得る設計事項にすぎない。
　なお、刊行物３発明において、「押圧位置に表示されている操作キーに対応した操作キー画面データ」は、それぞれがズーム倍率に対応した複数のズーム枠であるが、任意の操作キーについて、「押圧位置に表示されている操作キーに対応した操作キー画面データ」を発生させるようにすることは、分野を問わず周知である(刊行物４の上記ア.(ニ)、(ヌ)で指摘した箇所の記載参照)。
　
　
(ウ)［相違点３］について
　一般に、撮像ビデオ信号にイメージデータを重畳するのに、切換えスイッチの制御により行う手法は周知であるから(刊行物２の上記ア.(シ)で指摘した箇所の記載参照)、刊行物１発明においても、「スーパーインポーズ手段」における「重畳」の具体的手法として、切換えスイッチの制御による手法を採用することは単なる設計事項にすぎない。
　そして、同手法を採用した場合、「キー操作モード」又は「ペン入力モード」が設定されている場合の「重畳する」「重畳しない」の制御については、自ずと、「切換えスイッチ」を制御することにより行うことになる。
　
　
(エ)［相違点４］について
　一般に、タッチパネルを利用したペン入力装置において、ペンによりタッチされた位置の検出動作を、「ペンオン状態であるか、又は、ペンオフ状態であるかを判定するペンオン／オフ判定モードを実行し、所定回数ともペンオン状態であると判定されたとき」に実行するよう構成することで、誤動作を防止し、動作の信頼性を高めることは周知であるから(実願昭６２−１６７２８３号(実開平１−７２６４４号)のマイクロフィルム(第４ページ第６〜１４行、第６ページ第１行〜第７ぺージ第４行、第１図の「入力検出部１０」)等参照)、刊行物１発明においても、「スーパーインポーズ手段」において「上記ペン入力モードが設定された場合」に、「上記撮像ビデオ信号にイメージデータを重畳して画像を表示すると共に、上記イメージデータとなるドットデータと共に撮像ビデオ信号を上記記録部に記録する」の動作を、「ペンオン状態であるか、又は、ペンオフ状態であるかを判定するペンオン／オフ判定モードを実行し、所定回数ともペンオン状態であると判定されたとき」に実行するよう構成することは当業者が容易に想到し得たことである。
　
　
　
エ.効果等
　以上のとおり、上記相違点１ないし４に係る本願補正発明の構成は、いずれも当業者が容易に想到し得たものであるところ、上記各相違点を総合しても格別の作用効果を奏するものとは認められず、本願補正発明を全体としてみても、その作用効果は、刊行物１、３及び周知技術から当業者が予測できる範囲のものである。
　
　
　
オ.まとめ(独立特許要件)
　以上によれば、本願補正発明は、刊行物１、３に記載された発明及び周知技術に基づいて当業者が容易に発明をすることができたものであるから、特許法第２９条第２項の規定により特許出願の際独立して特許を受けることができない。
　したがって、本件補正は、特許法第１７条の２第５項において準用する同法第１２６条第５項の規定に適合しない。
　
　
　
　
(４)むすび
　以上のとおり、本件補正は、特許法第１７条の２第５項の規定に適合しないものであるから、特許法第１５９条第１項の規定において読み替えて準用する同法第５３条第１項の規定により却下すべきものである。
　
　
　
　
　
　
第３.本願発明
　
　平成１９年４月６日付けの手続補正は上記のとおり却下した。
　本願請求項１に係る発明は、平成１６年１１月８日付け手続補正書(平成１７年７月１１日付け手続補正は、平成１９年２月１日付けで補正却下されている)により補正された特許請求の範囲の請求項１に記載された事項により特定される、以下のとおりのもの(以下「本願発明」という)である。
　
「撮像ビデオ信号による画像を表示するビデオ装置であって、
　上記撮像ビデオ信号に操作キー画面データを重畳して画像を表示すると共に、上記操作キー画面データが重畳されない上記撮像ビデオ信号を記録する動作を第一のモードとし、
　上記撮像ビデオ信号にイメージデータを重畳して画像を表示すると共に、上記イメージデータが重畳された上記撮像ビデオ信号を記録する動作を第二のモードとしたとき、
　上記撮像ビデオ信号を記録する記録部と、
　上記撮像ビデオ信号に基づいて画像を表示する表示素子と、
　上記表示素子の表示面上に配設され、当該表示面上の押圧位置を検出する位置検出手段と、
　上記位置検出手段で検出される押圧位置に基づいてイメージデータを形成するイメージデータ形成手段と、
　上記位置検出手段で検出される押圧位置に表示されている操作キーに対応した操作キー画面データを発生する操作信号発生手段と、
　上記モードを設定するスイッチ及び切換えスイッチを有して、上記表示素子で表示される画像の撮像ビデオ信号に、上記操作信号発生手段によって発生された操作キー画面データ又は上記イメージデータ形成手段によって形成されたイメージデータを重畳するスーパーインポーズ手段とを備え、
　上記スーパーインポーズ手段は、
　上記第一のモードが設定された場合は、撮像ビデオ信号に操作キー画面データを重畳して画像を表示すると共に、上記操作キー画面データが重畳されない撮像ビデオ信号を上記記録部に記録し、
　上記第二のモードが設定された場合は、上記撮像ビデオ信号にイメージデータを重畳して画像を表示すると共に、上記イメージデータが重畳された撮像ビデオ信号を上記記録部に記録するように上記切換えスイッチを制御することを特徴とするビデオ装置。」
　
　
　
　
　
　
第４.当審の判断
　
１.刊行物１の記載
　当審が通知した最後の拒絶理由に引用された上記刊行物１には、上記第２.２.(３)ア.のとおりの記載がある。
　
　
２.対比
　そこで、本願発明と刊行物１記載の発明(以下「刊行物１発明」という)とを比較すると、本願発明と刊行物１発明との対応関係については、上記第２.２.(３)イ.に記載したとおりであるところ、これを援用する。
　
　本願発明と刊行物１発明とは、
［一致点］
「撮像ビデオ信号による画像を表示するビデオ装置であって、
　上記撮像ビデオ信号にイメージデータを重畳して画像を表示すると共に、上記イメージデータと上記撮像ビデオ信号とを同期して記録する動作を第二のモードとしたとき、
　上記撮像ビデオ信号を記録する記録部と、
　上記撮像ビデオ信号に基づいて画像を表示する表示素子と、
　上記表示素子の表示面上に配設され、当該表示面上の押圧位置を検出する位置検出手段と、
　上記位置検出手段で検出される押圧位置に基づいてイメージデータを形成するイメージデータ形成手段と、
　上記表示素子で表示される画像の撮像ビデオ信号に、上記イメージデータ形成手段によって形成されたイメージデータを重畳するスーパーインポーズ手段とを備え、
　上記スーパーインポーズ手段は、
　上記第二のモードが設定された場合は、上記撮像ビデオ信号にイメージデータを重畳して画像を表示すると共に、上記イメージデータと共に撮像ビデオ信号を上記記録部に記録するように制御することを特徴とするビデオ装置。」
である点で一致し、以下の各点で相違する。
　
［相違点１］
　「スーパーインポーズ手段」における「上記第二のモードが設定された場合」の「上記イメージデータと共に撮像ビデオ信号を上記記録部に記録する」が、
　本願発明では、「上記イメージデータが重畳された撮像ビデオ信号を上記記録部に記録する」のに対し、
　刊行物１発明では、上記イメージデータと撮像ビデオ信号とを重畳することなくそれぞれ上記記録部の別領域に記録する点。
　
［相違点２］
　本願発明は、
　「上記位置検出手段で検出される押圧位置に表示されている操作キーに対応した操作キー画面データを発生する操作信号発生手段」を備え、
　上記「第二のモード」とは別の動作モードである「上記撮像ビデオ信号に操作キー画面データを重畳して画像を表示すると共に、上記操作キー画面データが重畳されない上記撮像ビデオ信号を記録する動作」を「第一のモード」とし、
　「スーパーインポーズ手段」が、「第一のモードが設定された場合は、撮像ビデオ信号に操作キー画面データを重畳して画像を表示すると共に、上記操作キー画面データが重畳されない撮像ビデオ信号を上記記録部に記録」するとともに、
　「前記モードを設定するスイッチ」を備えているのに対し、
　刊行物１発明は、
　上記「操作信号発生手段」を備えておらず、
　「スーパーインポーズ手段」が、上記「第一のモード」を有さないとともに、
　上記「前記モードを設定するスイッチ」を備えていない点。
　
［相違点３］
　本願発明では、
　「スーパーインポーズ手段」が「切換えスイッチ」を有し、
　「切換えスイッチ」により重畳を行うとともに、
　「第一のモード」又は「第二のモード」が設定された場合の「重畳する」「重畳しない」の制御を「切換えスイッチ」を制御することにより行うのに対し、
　刊行物１には、重畳についての具体的記載がない点。
　
　
３.判断
　上記相違点１ないし３についての判断は、それぞれ、上記第２.２.(３)ウ.で上記補正後発明に係る相違点１ないし３についてした判断と同じである。
　
　
４.効果等
　以上のとおり、上記相違点１〜３に係る本願発明の構成は、いずれも当業者が容易に想到し得たものであるところ、上記各相違点を総合しても格別の作用効果を奏するものとはいえず、本願発明を全体としてみても、その作用効果は、上記刊行物１、３及び周知技術から当業者が予測できる範囲のものである。
　
　
５.まとめ(当審の判断)
　したがって、本願発明は、上記刊行物１、３に記載された発明及び周知技術に基づいて当業者が容易に発明をすることができたものである。
　
　
　
　
　
　
第５.むすび
　以上のとおり、本願請求項１に係る発明は、刊行物１、３に記載された発明及び周知技術に基づいて当業者が容易に発明をすることができたものであるから、本願は、特許法第２９条第２項の規定により特許を受けることができない。
　したがって、本願は拒絶をすべきものである。
　よって、結論のとおり審決する。